(57)【要約】【課題】シャッタチャンスを逃がさないで撮影することができるカメラを提供する。【解決手段】複数の音を記録する音記録手段（４１）と、撮像手段（３４Ｂ）で撮像しようとする被写体の情報に基づいて音記録手段（４１）に記録された前記複数の音から所定の音を選択する選択手段（３０）と、選択手段（３０）で選択された前記所定の音を発生させる音発生手段（２）とを備えている。【選択図】図４
2009182533.tif 000002
【特許請求の範囲】
【請求項１】
複数の音を記録する音記録手段と、
撮像手段で撮像しようとする被写体に関する情報に基づいて前記音記録手段に記録された前記複数の音から所定の音を選択する選択手段と、
前記選択手段で選択された前記所定の音を発生させる音発生手段と
を備えていることを特徴とするカメラ。
【請求項２】
前記選択手段は、
前記撮像手段で撮像しようとする前記被写体の画像の特徴を抽出し、前記抽出された画像の特徴から前記被写体の種類を特定する被写体特定手段と、
前記被写体特定手段で特定された前記被写体の種類に基づいて前記音記録手段に記録された前記複数の音から前記所定の音を選択する音選択手段と
を有していることを特徴とする請求項１記載のカメラ。
【請求項３】
前記選択手段は、
携帯情報端末から入力された前記被写体に関する情報に基づいて前記音記録手段に記録された前記複数の音から前記所定の音を選択することを特徴とする請求項１記載のカメラ。
【請求項４】
前記選択手段は、
バーコードを撮像することにより入力された前記被写体に関する情報に基づいて前記音記録手段に記録された前記複数の音から前記所定の音を選択することを特徴とする請求項１記載のカメラ。
【請求項５】
前記情報に撮影時の閃光の発光を禁止する閃光禁止情報が含まれていることを特徴とする請求項１〜４のいずれか１項記載のカメラ。
【請求項６】
前記情報に前記音発生手段による音の発生を禁止する音発生禁止情報が含まれていることを特徴とする請求項１〜５のいずれか１項記載のカメラ。
【請求項７】
シャッタボタンを半押しした状態から前記シャッタボタンをさらに押し込んだとき、前記音発生手段から音を発生させる音発生タイミング制御手段を備えていることを特徴とする請求項１〜６のいずれか１項記載のカメラ。
【発明の詳細な説明】
【技術分野】
【０００１】
この発明はカメラに関する。
【背景技術】
【０００２】
従来、音声再生機能を有するカメラが知られている。
【０００３】
この種のカメラとして、例えば撮影モード選択スイッチと、動物等の被写体が興味を引く音声情報を記憶する音声情報記憶メモリ部とを備え、撮影モード選択スイッチの選択状態に応じて、音声情報記憶メモリに記憶された音声情報に基づき撮影動作に同期して音声の再生動作を行うものがある（下記特許文献参照）。
【特許文献１】特開２００２−１０７８０７号公報
【発明の開示】
【発明が解決しようとする課題】
【０００４】
しかし、上記カメラでは、撮影時に撮影者自らが撮影モード選択スイッチを操作して再生させる音声を選択しなければならないので、その操作中に動物が動いてしまい、シャッタチャンスを逃してしまうおそれがある。
【０００５】
この発明はこのような事情に鑑みてなされたもので、その課題はシャッタチャンスを逃がさないで撮影することができるカメラを提供することである。
【課題を解決するための手段】
【０００６】
上記課題を解決するため請求項１記載の発明は、複数の音を記録する音記録手段と、撮像手段で撮像しようとする被写体に関する情報に基づいて前記音記録手段に記録された前記複数の音から所定の音を選択する選択手段と、前記選択手段で選択された前記所定の音を発生させる音発生手段とを備えていることを特徴とする。
【０００７】
請求項２記載の発明は、請求項１記載のカメラにおいて、前記選択手段は、前記撮像手段で撮像しようとする前記被写体の画像の特徴を抽出し、前記抽出された画像の特徴から前記被写体の種類を特定する被写体特定手段と、前記被写体特定手段で特定された前記被写体の種類に基づいて前記音記録手段に記録された前記複数の音から前記所定の音を選択する音選択手段とを有していることを特徴とする。
【０００８】
請求項３記載の発明は、請求項１記載のカメラにおいて、前記選択手段は、携帯情報端末から入力された前記被写体に関する情報に基づいて前記音記録手段に記録された前記複数の音から前記所定の音を選択することを特徴とする。
【０００９】
請求項４記載の発明は、請求項１記載のカメラにおいて、前記選択手段は、バーコードを撮像することにより入力された前記被写体に関する情報に基づいて前記音記録手段に記録された前記複数の音から前記所定の音を選択することを特徴とする。
【００１０】
請求項５記載の発明は、請求項１〜４のいずれか１項記載のカメラにおいて、前記情報に撮影時の閃光の発光を禁止する閃光禁止情報が含まれていることを特徴とする。
【００１１】
請求項６記載の発明は、請求項１〜５のいずれか１項記載のカメラにおいて、前記情報に前記音発生手段による音の発生を禁止する音発生禁止情報が含まれていることを特徴とする。
【００１２】
請求項７記載の発明は、請求項１〜６のいずれか１項記載のカメラにおいて、シャッタボタンを半押しした状態から前記シャッタボタンをさらに押し込んだとき、前記音発生手段から音を発生させる音発生タイミング制御手段を備えていることを特徴とする。
【発明の効果】
【００１３】
この発明によればシャッタチャンスを逃がさないで撮影することができる。
【発明を実施するための最良の形態】
【００１４】
以下、この発明の実施の形態を図面に基づいて説明する。
【００１５】
図１、２はこの発明の第１実施形態に係るカメラ１で動物を撮影する様子を示す図である。
【００１６】
図１は撮影前の様子を示し、２匹の動物（被写体（図ではライオン））１０Ａ，１０Ｂのうち１匹の動物１０Ｂは後を向いており、図２は撮影時の様子を示し、２匹の動物１０Ａ，１０Ｂはともに前を向いている。
【００１７】
撮影場所は動物園であり、動物１０Ａ，１０Ｂとカメラ１を持った撮影者６との間には柵５がある。
【００１８】
動物１０Ａ，１０Ｂがある種の音に反応することに着目して、動物１０Ａ，１０Ｂが興味を引く音を発生させ、動物１０Ａ，１０Ｂが音に反応してカメラ１に向いたときに撮影をするようにした。
【００１９】
カメラ１の正面のほぼ中央に動物１０Ａ，１０Ｂや２次元バーコード（バーコード）２５（図７参照）を撮影するための撮影レンズ４が設けられている。カメラ１の正面上部には閃光を発するスピードライト部７が設けられている。スピードライト部７は動物１０Ａ，１０Ｂの像の明るさが不足する場合に用いられる。カメラ１の正面下部には動物１０Ａ，１０Ｂが興味をひく音を発生させるスピーカ（音発生手段）２が設けられている。カメラ１の上面にはシャッタボタン３が設けられている。
【００２０】
カメラ１の背面には動物１０Ａ，１０Ｂ等の画像を表示するためのモニタ８（図４参照）が設けられている。
【００２１】
図４はカメラ１の一例を示すブロック図である。
【００２２】
カメラ１は、ＣＰＵ３０、ＲＯＭ３１、ＲＡＭ３２、シャッタボタン３、モニタ８、音声発生部（音発生手段）４０、画像入力部３４、通信部３５及びドライブ３６を備えている。ＣＰＵ３０、ＲＯＭ３１等はシステムバス１０１に接続されている。
【００２３】
ＣＰＵ３０は、カメラ１全体の制御や情報処理を行う装置であり、ワンチップマイコン等からなる。ＣＰＵ３０はＲＯＭ３１に格納されている処理制御プログラムをＲＡＭ３２にロードして実行する。処理制御プログラムには、撮影対象が２次元バーコード２５であるときに、その画像データを解析してそれに記録されている情報を認識するための解析プログラム等が含まれる。ＣＰＵ３０は、撮像素子３４Ｂで撮像しようとする動物１０Ａ，１０Ｂの情報に基づいて記憶部（音記録手段）４１に記憶された複数の音から所定の音を選択する選択手段として機能する。また、ＣＰＵ３０は、シャッタボタン３を半押しした状態からシャッタボタン３をさらに押し込んだとき、音声発生部４０から音を発生させる音発生タイミング制御手段として機能する。
【００２４】
画像入力部３４は、撮影レンズ４や光量を調節する絞り（図示せず）等の光学系３４Ａと、これを介して入射した光学像を電気信号に変換する撮像素子（撮像手段）３４Ｂ等とを有する。撮像素子３４Ｂで動物１０Ａ，１０Ｂや２次元バーコード２５（図７参照）が撮像される。
【００２５】
音声発生部４０は、動物１０Ａ，１０Ｂが興味をひく複数の音が記憶される記憶部４１と、マイク等の外部入力部４３に入力された音声信号を記憶部４１に書き込む音声録音部４２と、記憶部４１に書き込まれた音声信号をアナログ音声信号に変換するデジタル/アナログ（Ｄ／Ａ）変換部４４と、不要な音声信号を除去するローパスフィルタ（ＬＰＦ）４５と、音声信号を増幅する増幅部（Ａｍｐ）４６と、動物１０Ａ，１０Ｂが興味を引く音を出力するスピーカ２とを有する。
【００２６】
記憶部４１は書換可能な記憶素子、例えばＥＥＰＲＯＭである。動物１０Ａ，１０Ｂが興味を引く音としては、例えばねずみの声、小鳥の声、飼育員の声等がある。
【００２７】
モニタ８は例えばＣＲＴやＬＣＤ等の表示器である。モニタ８は動物１０Ａ，１０Ｂを撮影するとき、撮影範囲を確定するファインダとして機能する。なお、モニタ８の駆動制御は図示しない専用のドライバを介してＣＰＵ３０によって行われる。
【００２８】
通信部３５では例えば携帯電話等の携帯情報端末５０からの動物１０Ａ，１０Ｂが興味を引く音や動物１０Ａ，１０Ｂの種類等の情報を受信する。その情報は記憶部４１に記憶される。また、通信部３５はコマンドの送受信を行う。
【００２９】
ドライブ３６は外部記憶装置の半導体メモリ、光磁気ディスク、光ディスク及び磁気ディスクを駆動制御するためのものである。
【００３０】
次に、カメラ１を用いた動物１０Ａ，１０Ｂの撮影方法を説明する。
【００３１】
図３は撮像素子３４Ｂで撮像された動物の画像の一例を示す図である。
【００３２】
まず、カメラ１を撮影しようとする動物１０Ａ，１０Ｂへ向け、シャッタボタン３を半押しする。
【００３３】
ＣＰＵ３０は、撮影者６によってシャッタボタン３が半押しされると、撮像素子３４Ｂで撮像された動物１０Ａ，１０Ｂの画像（図３では動物１０Ａの画像１０ＡＰの輪郭だけが示されている）の特徴を抽出し、抽出された画像１０ＡＰの特徴から動物１０Ａ，１０Ｂの種類を特定する。ＣＰＵ３０は、動物１０Ａ，１０Ｂの種類に基づいて記憶部４１に記憶された複数の音から動物１０Ａ，１０Ｂが興味を引く音を選択する。
【００３４】
その後、シャッタボタン３をさらに押し込む。シャッタボタン３がさらに押し込まれると、ＣＰＵ３０は動物１０Ａ，１０Ｂが興味をひく音をスピーカ２から発生させるとともにシャッタ（図示せず）を開き、動物１０Ａ，１０Ｂを撮像する。その際、像の明るさが不足するときにはスピードライト部７から閃光を発光させる。
【００３５】
この実施形態によれば、動物１０Ａ，１０Ｂはカメラ１から発せられた音に興味を示し、カメラ１の方向を向くので、動物１０Ａ，１０Ｂが正面を向いた状態を撮像することができる（図２参照）。また、像の明るさが不足するときにはスピードライト部７から閃光を発光させるので、適切な明るさで動物１０Ａ，１０Ｂを撮影することができる。
【００３６】
図６はこの発明の第２実施形態に係るカメラで動物１０Ａ，１０Ｂを撮影する様子を示す図であり、第１実施形態と共通する部分には同一符号を付してその説明を省略する。
【００３７】
この実施形態は携帯情報端末５０（図５参照）から入力された動物１０Ａ，１０Ｂの種類等の情報に基づいて動物１０Ａ，１０Ｂが興味をひく音を記憶部４１に記憶された音の中から判断するようにした点で第１実施形態と相違する。なお、携帯情報端末５０は撮影者６が所持し、柵５の近くには動物１０Ａ，１０Ｂの名称（図６ではライオン）が記載されたプレート２０が設けられているものとする。
【００３８】
次に、携帯情報端末５０について説明する。
【００３９】
図５は携帯情報端末５０の一例を示すブロック図である。
【００４０】
携帯情報端末５０は動物１０Ａ，１０Ｂが興味を引く音や動物１０Ａ，１０Ｂの種類等の情報をカメラ１に送信する。携帯情報端末５０は表示、入力及び通信ネットワーク接続機能を備える例えば携帯電話、ＰＤＡ等である。
【００４１】
携帯情報端末５０は、ＣＰＵ１３０、ＲＯＭ１３１、ＲＡＭ１３２、操作部１０３（シャッタボタン等）、モニタ１０８、記憶部１４１、通信部１３５及びドライブ１３６を備えている。ＣＰＵ１３０、ＲＯＭ１３１等はシステムバス１５０に接続されている。
【００４２】
ＣＰＵ１３０は、携帯情報端末５０全体の制御や情報処理を行う装置であり、ワンチップマイコン等からなる。ＣＰＵ１３０はＲＯＭ１３１に格納されている処理制御プログラムをＲＡＭ１３２にロードして実行する。
【００４３】
記憶部１４１には動物１０Ａ，１０Ｂが興味をひく複数の音や動物１０Ａ，１０Ｂの種類等の情報が記憶されている。記憶部１４１は書換可能な記憶素子、例えばＥＥＰＲＯＭである。動物１０Ａ，１０Ｂが興味を引く音には、例えばねずみの声、小鳥の声、飼育員の声等が含まれる。
【００４４】
通信部１３５は動物１０Ａ，１０Ｂが興味を引く音や動物１０Ａ，１０Ｂの種類等の情報をカメラ１に送信する。また、通信部１３５はコマンドの送受信を行う。なお、動物１０Ａ，１０Ｂが興味を引く音や動物１０Ａ，１０Ｂの種類等の情報が記憶部１４１に記憶されていない場合、通信部１３５はネットワークを介してその情報を入手し、記憶部１４１に記憶させることができる。
【００４５】
ドライブ１３６は外部記憶装置の半導体メモリ、磁気ディスクを駆動制御するためのものである。
【００４６】
次に、カメラ１を用いた動物１０Ａ，１０Ｂの撮影方法を説明する。
【００４７】
まず、撮影者６はプレート２０に記載された動物１０Ａ，１０Ｂの種類を携帯情報端末５０に入力する。
【００４８】
次に、撮影者６は携帯情報端末５０に入力した動物１０Ａ，１０Ｂの種類の情報をカメラ１に送信する。
【００４９】
カメラ１側では、ＣＰＵ３０が携帯情報端末５０から送信された動物１０Ａ，１０Ｂの種類の情報から撮影しようとする動物１０Ａ，１０Ｂが興味をひく音を選択する。
【００５０】
その後、撮影者６はカメラ１を撮影しようとする動物１０Ａ，１０Ｂへ向け、シャッタボタン３を押し込む。
【００５１】
シャッタボタン３が押し込まれると、撮影しようとする動物１０Ａ，１０Ｂが興味をひく音をスピーカ２から発生させるとともにシャッタが開き、動物１０Ａ，１０Ｂが撮像される。その際、像の明るさが不足するときにはスピードライト部７を発光させる。
【００５２】
なお、記憶部４１に予め動物１０Ａ，１０Ｂの興味を引く音が記憶されていない場合、撮影者６が携帯情報端末５０に入力した動物１０Ａ，１０Ｂの種類の情報をカメラ１に送信する際に、記憶部４１に記憶されていなかった動物１０Ａ，１０Ｂが興味を引く音の情報を携帯情報端末５０から送信してもらえばよい。
【００５３】
この実施形態によれば、第１実施形態と同様の効果を奏する。
【００５４】
図７はこの発明の第３実施形態に係るカメラで動物１０Ａ，１０Ｂを撮影する様子を示す図であり、第１実施形態と共通する部分には同一符号を付してその説明を省略する。
【００５５】
この実施形態は、プレート２０上に表示された２次元バーコード２５の情報に基づいて動物１０Ａ，１０Ｂが興味をひく音を記憶部４１に記憶された音の中から判断するようにした点で第１実施形態と相違する。２次元バーコード２５は動物１０Ａ，１０Ｂの柵５の近くに設置されたプレート２０に表示されている。２次元バーコード２５には動物１０Ａ，１０Ｂに関する情報（例えば動物の種類）等が記録されている。２次元バーコード２５は１次元バーコードに比べて記録密度（単位面積当たりの情報量）が高く、多くの情報を記録できるという特徴を有する。
【００５６】
次に、カメラ１を用いた動物１０Ａ，１０Ｂの撮影方法を説明する。
【００５７】
まず、プレート２０上の２次元バーコード２５をカメラ１で撮影する。
【００５８】
ＣＰＵ３０は、撮影した２次元バーコード２５に記録された動物１０Ａ，１０Ｂの種類に基づいて動物１０Ａ，１０Ｂが興味をひく音を選択する。
【００５９】
次に、撮影者６はカメラ１を撮影しようとする動物１０Ａ，１０Ｂへ向け、シャッタボタン３を押し込む。
【００６０】
シャッタボタン３が押し込まれると、ＣＰＵ３０は動物１０Ａ，１０Ｂが興味をひく音をスピーカ２から発生させるとともにシャッタを開き、動物１０Ａ，１０Ｂを撮像する。その際、明るさが不足するときにはスピードライト部７を発光させる。
【００６１】
この実施形態によれば、第１実施形態と同様の効果を奏する。なお、この実施形態では２次元バーコード２５をカメラ１で撮影したが、２次元バーコード２５をカメラ機能を有する携帯情報端末５０で撮影し、携帯情報端末５０で得られた動物１０Ａ，１０Ｂの種類等の情報を改めてカメラ１に送信するようにしてもよい。また、この実施形態ではバーコードとして２次元バーコード２５を使用したが、情報量が少ない場合にはバーコードとして例えば１次元バーコードを使用するようにしてもよい。更に、上記実施形態では被写体が動物の場合を説明したが、被写体が例えば小さな子供の場合であっても上記実施形態と同様の効果を期待できる。
【００６２】
なお、動物１０Ａ，１０Ｂの種類によってはスピードライト部７による閃光の発光を避けた方がよいときもあるので、携帯情報端末５０から送信する動物１０Ａ，１０Ｂの情報、２次元バーコード２５等に閃光の発光を禁止する情報を含めておき、閃光を発光させないようにするのが望ましい。また、動物１０Ａ，１０Ｂの種類によっては音による刺激を与えない方がよい時間帯があるので、携帯情報端末５０から送信する動物１０Ａ，１０Ｂの情報、２次元バーコード２５等に動物１０Ａ，１０Ｂが興味を引く音の発生を禁止する時間帯の情報を含めておき、音の発生を禁止する時間帯での撮影には音を発生させないようにするのが望ましい。更に、動物１０Ａ，１０Ｂの種類によっては時間帯に関係なく音に対して敏感なものもいるので、携帯情報端末５０から送信する動物１０Ａ，１０Ｂの情報、２次元バーコード２５等に音の発生を禁止する情報を含めておき、音を発生させないようにするのが望ましい。光や音の発生を制限することで、被写体である動物１０Ａ，１０Ｂを刺激しないようにすることができる。
【図面の簡単な説明】
【００６３】
【図１】図１はこの発明の第１実施形態に係るカメラで動物を撮影する様子を示す図である。
【図２】図２はこの発明の第１実施形態に係るカメラで動物を撮影する様子を示す図である。
【図３】図３は撮像素子で撮像された動物の画像の一例を示す図である。
【図４】図４はカメラの一例を示すブロック図である。
【図５】図５は携帯情報端末の一例を示すブロック図である。
【図６】図６はこの発明の第２実施形態に係るカメラで動物を撮影する様子を示す図である。
【図７】図７はこの発明の第３実施形態に係るカメラで動物を撮影する様子を示す図である。
【符号の説明】
【００６４】
１：カメラ、２：スピーカ（音発生手段）、３：シャッタボタン、１０Ａ，１０Ｂ：動物（被写体）、２５：２次元バーコード（バーコード）、３０：ＣＰＵ、３４Ｂ：撮像素子（撮像手段）、４１：記憶部（音記録手段）、５０：携帯情報端末。
【図１】
2009182533.tif 000003
【図２】
2009182533.tif 000004
【図３】
2009182533.tif 000005
【図４】
2009182533.tif 000006
【図５】
2009182533.tif 000007
【図６】
2009182533.tif 000008
【図７】
2009182533.tif 000009